(57)【要約】【構成】  携帯電話機１０は開閉検知部３８を含み、この開閉検知部３８によって蓋体ケースと本体ケースとの開閉状態を検知し、開閉状態信号を制御部４０に送出する。制御部４０は、開閉状態信号に応じてスイッチ回路４８の接続を制御し、スピーカ１８および２０から出力するステレオ信号の左右チャネルを切り替える。閉状態のとき、Ｌ０とＬ１、Ｒ０とＲ１が接続され、スピーカ１８および２０にそれぞれ左チャネルおよび右チャネルが与えられ、開状態のときは、Ｌ０とＬ２、Ｒ０とＲ２が接続され、スピーカ１８および２０に右チャネルおよび左チャネルがそれぞれ与えられる。【効果】  開閉の状態に応じて、正しいステレオ音声を聴取できる。【選択図】  図２
2005086739.tif 000002
【特許請求の範囲】
【請求項１】
本体ケースと蓋体ケースとが、開閉可能に連結され、前記蓋体ケースに左右２つのスピーカを設け、前記２つのスピーカに出力するステレオ音声信号のチャネルを切り替えるためのチャネル切り替え手段を設けた、携帯電話機において、
前記本体ケースと前記蓋体ケースとの開閉を検知する開閉検知手段を設け、この開閉検知手段からの信号に応じて、前記チャネル切り替え手段を制御することを特徴とする、携帯電話機。
【請求項２】
前記蓋体ケースに設けられた表示器、および前記開閉検知手段からの信号に応じて、前記表示器をオン／オフする手段をさらに備える、請求項１記載の携帯電話機。
【請求項３】
前記蓋体ケースに設けられた表示器、および前記表示器で表示される画像の方向を反転させるための操作手段をさらに設け、前記操作手段の操作に応じて、前記チャネル切り替え手段を制御するようにした、請求項１記載の携帯電話器。
【発明の詳細な説明】
【技術分野】
【０００１】
本発明は、携帯電話機に関し、特に上下２つのケースが開閉可能に連結され、かつ２つのステレオスピーカによって、ステレオ音声信号が再生可能である、携帯電話機に関する。
【背景技術】
【０００２】
近年、携帯電話機においても、インターネットなどを通じて配信されるオーディオデータを受信し、携帯電話機本体に内蔵されたメモリや、着脱可能なメモリカードなどに当該オーディオデータを保存し、オーディオ信号を再生することが可能となっている。そして当該オーディオ信号が、ステレオ信号である場合には、複数のスピーカを設けることによって、ステレオ音声の聴取が可能となる。
【０００３】
特許文献１に開示された携帯電話機では、２つのスピーカを携帯電話機の表示部の対角付近に配置し、使用者に対する表示部の向きを、傾きを検知するセンサによる検知結果から判断し、左右のスピーカから出力するチャンネルを切り替えることで、表示部の向きによらず、ステレオ音声を正しく再生するようにしている。
【特許文献１】特開２００３−７８６０１号公報［Ｈ０４Ｍ１／２１，１／００，１／０２，１／７２５，Ｈ０４Ｒ５／０２］
【発明の開示】
【発明が解決しようとする課題】
【０００４】
特許文献１の携帯電話機では、表示画面を縦横いずれの方向にしても、ステレオ音声を良好に聴取できるが、上ケースと下ケースを開いたときのステレオ再生だけが意図されていて、上下ケースを閉じた状態での音声出力については全く意識されていない。
【０００５】
これに対して、先に述べたように、携帯電話機をオーディオ再生機として利用することがすでに行われていて、この場合には、上下ケースは閉じたまま使用されることになる。したがって、上下ケースを閉じた状態でもステレオ音声を正しいチャンネルで再生することが望まれるが、特許文献１の従来技術では上下ケースが閉じたときには、チャンネルが逆になるので、ステレオ再生が正しく行われない。
【０００６】
それゆえに、この発明の主たる目的は、開閉状態のいかんに拘らずステレオ音声を正しく再生できる、携帯電話機を提供することである。
【課題を解決するための手段】
【０００７】
請求項１の発明は、本体ケースと蓋体ケースとが、開閉可能に連結され、蓋体ケースに左右２つのスピーカを設け、２つのスピーカに出力するステレオ音声信号のチャネルを切り替えるためのチャネル切り替え手段を設けた、携帯電話機において、本体ケースと蓋体ケースとの開閉を検知する開閉検知手段を設け、この開閉検知手段からの信号に応じて、チャネル切り替え手段を制御することを特徴とする携帯電話機である。
【０００８】
請求項１の発明では、たとえば本体ケース側に備えられた感圧スイッチと蓋体ケース側に備えられた加圧ピンとからなる開閉検知手段により開閉状態を検知し、携帯電話機の開閉状態に応じて、チャネル切り替え手段によって、蓋体ケースに備わった２つのスピーカに出力するステレオ信号の左右のチャンネルを切り替える。つまり、携帯電話機が閉状態と、開状態とでは使用者に対するスピーカの配置が逆転するが、スピーカに出力する左右のステレオ音声信号を反転することで、使用者はいずれの使用状態においてもステレオを聴取することが可能となる。
【０００９】
請求項２の発明は、蓋体ケースに設けられた表示器、および開閉検知手段からの信号に応じて、表示器をオン／オフする手段をさらに備える、請求項１記載の携帯電話機である。
【００１０】
請求項２の発明では、開閉検知手段により携帯電話機の２つのケースの開状態が検知されると、表示器の電源がオン状態となる。逆に、携帯電話機の２つのケースが閉じられると、開閉検知手段からの閉状態信号に応じて、表示器の電源がオフ状態となる。
【００１１】
請求項３の発明は、蓋体ケースに設けられた表示器、および表示器で表示される画像の方向を反転させるための操作手段をさらに設け、操作手段の操作に応じて、チャネル切り替え手段を制御するようにした、請求項１記載の携帯電話器である。
【００１２】
請求項３の発明では、使用者に対面する他者に表示器上の画像を見せたい場合、そのまま表示器を他者に向けると、他者に対して画像は反転した状態になる。そこで、使用者は操作手段の操作により、画像の上下を反転させ、それに伴いチャネルを切り替えることで、他者にとって正しい方向の画像と音声とを提供することができる。
【発明の効果】
【００１３】
この発明によれば、蓋体ケースの開閉に応じてステレオ音声チャンネルを切り替えるので、開状態または閉状態いずれにおいても、ステレオ音声を正しく再生できる。
【００１４】
この発明の上述の目的、その他の目的、特徴および利点は、図面を参照して行う以下の実施例の詳細な説明から一層明らかとなろう。
【発明を実施するための最良の形態】
【００１５】
図１に示す実施例の携帯電話機１０は、蓋体ケース１２及び本体ケース１４を含み、蓋体ケース１２と本体ケース１４とはヒンジ機構１６によって互いに連結されており、開閉が可能に構成されている。なお蓋体ケース１２には、アンテナ２６が突設されている。
【００１６】
蓋体ケース１２は、図１（ａ）に示す２つのケースが閉じた状態であるときに内側になる面（前面部）に情報表示のための液晶表示パネルからなる矩形状の第１表示器２２（メインディスプレイと言う）を備え、本体ケース１４の内面には携帯電話機の電源をオン／オフしまたは、通話状態を終了するための電源ボタン３２と、通話状態を開始するための通話ボタン３４と、テンキー、ファンクションキーを含む複数の操作ボタンを配した操作キー部３６を備えている。本体ケース１４の側面には、携帯電話機１０の開閉状態によらず操作可能な側面ボタン（操作手段）１５を備えている。
【００１７】
また、蓋体ケース１２の前面部には凸状の加圧ピン２８とを設け本体ケース１４の前面部には、蓋体ケース２が閉じられたとき、加圧ピン２８にによって押圧される感圧スイッチ３０を備えている。この加圧ピン２８および感圧スイッチ３０が開閉検知手段の一部を形成するが、開閉検知のためには他の手段が用いられてもよい。
【００１８】
図１（ａ）に示す２つのケースが閉じた状態であるときに外側になる面（背面部）に２つのスピーカ１８および２０、が横並びで配置されており、さらに情報表示のための液晶表示パネルからなる矩形状の第２表示器２４（以下、サブディスプレイと言う）が設けられている。
【００１９】
図２に示される開閉検知部３８は、感圧スイッチ３０の作動により、２つのケース１２および１４の開閉状態を検知し、その開閉状態信号を制御回路４０に送出する。制御回路４０はその開閉状態信号により携帯電話機１０の開閉状態を判別し、スイッチ回路４８の切り替え制御をすることで、スピーカ１８及びスピーカ２０に対して、開閉状態に対応した適切なチャネルのステレオ信号を出力することを可能とする。
【００２０】
以下に、図３のフロー図を用いて、着呼時の開閉動作による左右のステレオ信号の切り替え、および表示器の切り替え動作を説明する。
【００２１】
携帯電話機１０の電源がオンの状態で、着信通話が可能であるとき、ステップＳ１では着呼を判断し、ＹＥＳであればステップＳ３へ進む。携帯電話機１０は蓋体ケース１２側にアンテナ２６を備えているため、このとき使用者は図１（ａ）に示すように、アンテナ２６を上向きにして図示しない相手の電話番号や氏名等を表示しているサブディスプレイ２４を見る。よってスピーカ１８は使用者にとって左側に位置し、スピーカ２０は同右側に位置する。
【００２２】
このときスイッチ回路４８ではＬ０がＬ１と、Ｒ０がＲ１とそれぞれ接続されることにより、スピーカ１８からステレオ信号の左側チャネルが再生され、スピーカ２０からは同右側チャネルが再生されるため、使用者は正しいステレオ音声を聴取している。
【００２３】
ステップＳ５では使用者が通話を開始するために、閉じた２つのケースの開動作をし、感圧スイッチ３０、すなわち開閉検知部３８が開状態になったことを検知し、ステップＳ７でメインディスプレイ２２を表示させると共に、サブディスプレイ２４の表示を切り替える。このとき使用者はメインディスプレイ２２を見るため図１（ｃ）に示すように蓋体ケース１２を上にし、本体ケース１４を下にして使用する。アンテナ２６が蓋体ケース１２側に突設されているため、必然的にスピーカの位置が反転し、スピーカ１８は使用者に対して右側に位置し、スピーカ２０は同左側に位置する。
【００２４】
そこで、ステップＳ９において制御部４０によって、スイッチ回路４８ではＬ０とＬ２が、Ｒ０とＲ２がそれぞれ接続されるように制御すると、ステレオ信号の左右チャネルを反転される。そのためスピーカ１８からはステレオ信号の右チャネルが再生され、スピーカ２０からは同左チャネルが再生されるため、使用者は正しいステレオ音声を聴取することができる。
【００２５】
ステップＳ１１では通話するか否かを判断し、ＹＥＳであればステップＳ１３に進み特定の通話処理が行われ、ステップＳ１５で終話の操作が行われるまで通話処理が行われる。
【００２６】
ステップＳ１５の終話操作が行われた後、ステップＳ１７に進み使用者は閉動作をする。この閉動作により加圧ピン２８が感圧スイッチ３０を押圧することで、開閉検知部３８は閉状態を検知し、ステップＳ１９でメインディスプレイ２２の表示をオフすると共に、サブディスプレイ２４の表示を切り替える。
【００２７】
２つのケースが閉じた状態になるため、ステップＳ２１では再びスピーカ１８および２０から出力されるステレオ信号の左右チャネルを反転させる。これによりスピーカ１８からは左チャネルが、スピーカ２０からは右チャネルが再生される状態となり、次の着呼があったときには、使用者にとって正しい音声が再生されることになる。
【００２８】
次に、図４のフロー図を用いて、任意操作による画像の方向の切り替え、および左右のステレオ信号の切り替え動作について説明する。
【００２９】
まず２つのケースを開いた状態で、使用者は操作キー３６を用いてメインディスプレイ２２上にメニュー画面を表示させる。ステップＳ３１では、このメニュー画面上で使用者はすでに記憶されている楽曲を選択し、ＹＥＳであればステップＳ３３に進み、メインディスプレイ２２に映像を表示し、スピーカ１８および２０から音楽を再生する。このときスピーカ１８は使用者に対して右側に位置するためステレオ信号の右チャネルを出力し、スピーカ２０は同左側に位置するため、ステレオ信号の左チャネルを出力している。
【００３０】
ステップＳ３５ではメインディスプレイ２２の映像の方向を反転させるかどうかを選択する。この選択は図５に示すように、たとえば使用者に対面する他者に対して、使用者が携帯電話機１０を保持したままで、メインディスプレイ２２を他者側に傾けて、表示されている映像を見せようとする場合に行う。
【００３１】
ステップＳ３５で画面の上下の変更がＹＥＳであればステップＳ３７に進み、メインディスプレイ２２の画面の上下を反転させる。画面の上下を反転させ他者に対する映像を正しい状態にすれば、図５（ｂ）のようになり、スピーカ１８は他者に対して左側に位置し、スピーカ２０は同右側に位置するため、ステップＳ３９ではそれぞれのスピーカから出力されるステレオ信号の左右チャネルを反転させる。
【００３２】
このようにメインディスプレイ２２の映像を反転させた状態で、２つのケースを閉じてサブディスプレイ２４の映像を見ることも可能であるため、ステップＳ４１で使用者は２つのケースを閉じる動作をする。ステップＳ４３では、開閉検知部３８が２つのケースが閉じたことを検知し、メインディスプレイ２２の表示をオフすると共に、サブディスプレイ２４の表示をオンにする。このときサブディスプレイ２４の映像の方向は、メインディスプレイ２２の映像の反転に伴って反転した状態で表示されることになる。
【００３３】
一方、ステップＳ３５において、使用者のみが映像を見る場合には、画面の上下を変更する必要がないため、２つのケースを閉じてサブディスプレイ２４の映像を見たいときには、ステップＳ４５で２つのケースを閉じる動作を行う。ステップＳ４７では開閉検知部３８が閉状態になったことを検知し、メインディスプレイ２２の表示をオフにし、サブディスプレイ２４に映像の表示をする。
【００３４】
ステップＳ４９では２つのケースが閉じた状態になるため、スピーカから出力するステレオ信号の左右チャネルを反転させ、使用者がサブディスプレイ２４の表示を正しい方向から見たときに、使用者にとってスピーカ１８および２０から正しいチャネルが再生される。
【００３５】
次に、ステップＳ５１では、サブディスプレイ２４の映像を２つのケースが閉じた状態で、その映像の上下を反転させたい場合の判断を行う。２つのケースを閉じた状態で、映像の上下の反転を操作するときは、使用者が本体ケース１４の側面に設けられた側面ボタン１５を操作する。この操作がＹＥＳであれば、ステップＳ５３に進みサブディスプレイ２４の映像の上下を反転させる。この反転に伴って、ステップＳ５５ではスピーカ１８および２０から出力される、左右チャネルを切り替える。
【００３６】
そして映像の上下の反転が最後に行われた状態が楽曲の終了するまで保たれ、メインディスプレイ２２および、サブディスプレイ２４の使用している画面や方向に拘らず、スピーカ１８および２０から正しいチャネルが再生される。
【００３７】
以上説明したように、本発明によれば、２つのケースの開閉状態を検知してスピーカ１８およびスピーカ２０に対して出力するステレオ音声の左右のチャネルを切り替えることにより、使用者は特別な入力操作なしに最良のステレオ音声を聴取することが可能である。
【００３８】
また、実施例において使用者と対面する他者に対して、映像を見させるような場合には、使用者の任意操作により、画面の上下を反転させることで、スピーカから出力される左右のチャネルを反転し、他者にとって最良のステレオ音声を聴取させることが可能である。
【００３９】
上述した実施例は変更することができる。たとえば、２つのケースの開閉状態を検知するために、蓋体ケース１２に設けた加圧ピン２８と、本体ケース１４に設けた感圧スイッチ３０の押圧状態による検知手段を用いたが、たとえば、蓋体ケース１２と本体ケース１４とを連結するヒンジ部１６（図１）に内蔵されているトーションばねによって作動する開閉検知機構が用いられてもよく、蓋体ケース１２と本体ケース１４とにマグネットとＭＲ（磁気抵抗）素子との組み合わせを利用するようにしてもよい。
【００４０】
また、音楽再生をする場合の画像は、動画であり、メインディスプレイ２２とサブディスプレイ２４で異なる映像を再生するようにしてもよい。
【００４１】
また、サブディスプレイを見る際には、開状態のままで任意操作によりサブディスプレイをオンにし、映像を観賞できるようにしてもよい。
【図面の簡単な説明】
【００４２】
【図１】本発明の実施例を示す概略図であり、(ａ)は閉状態の背面図、(ｂ)は閉状態の側面図、(ｃ)は開状態の正面図である。
【図２】図１実施例の概略構成を示すブロック図である。
【図３】実施例における着呼時の動作を示すフロー図である。
【図４】実施例における任意操作時の動作を示すフロー図である。
【図５】実施例における任意操作による画像の方向の切り替えを示す図解図である。
【符号の説明】
【００４３】
１０…携帯電話機
１２…蓋体ケース
１４…本体ケース
１５…側面ボタン
１６…ヒンジ部
１８…スピーカ
２０…スピーカ
２２…第１表示機（メインディスプレイ）
２４…第２表示機（サブディスプレイ）
２６…アンテナ
２８…加圧ピン
３０…感圧スイッチ
３２…電源ボタン
３４…通話ボタン
３６…操作キー部
３８…開閉検知部
４０…制御部
４８…スイッチ回路
【図１】
2005086739.tif 000003
【図２】
2005086739.tif 000004
【図３】
2005086739.tif 000005
【図４】
2005086739.tif 000006
【図５】
2005086739.tif 000007